(57)【要約】ガスタービンエンジンのベーンリング（８）にあるスロート領域（１０）などの領域を測定する測定装置（２０）および測定方法に関する。選択されたスロート（１０）の位置が、所望の位置のデータに対して偏差があることで、像の寸法に変化が生じて測定が不正確になる。この不正確な測定は、開示した本発明の改良システムによって減らすことができる。
2008517283.tif 000002
【特許請求の範囲】
【請求項１】
ガスタービンベーンリングのスロート領域を測定する装置であって、上記ベーンリングが、隣り合うベーンの間にある複数の個々のスロートを画定するベーンの環状アレイを有する、ベーンリングのスロート領域を測定する装置において、
対象ベーンリングに放射線を投射する少なくとも１つの主放射線源と、スロート領域を示す放射線を感知する少なくとも１つの第１放射線検出器と、上記感知した放射線からスロート領域を確定するプロセッサと、を含む領域確定アッセンブリと、
対象ベーンリングの実在位置を検出するための位置センサと、上記実在位置と所望の参照位置との差を決めるように構成された比較装置と、上記比較装置から受けた上記差にもとづいて上記領域確定アッセンブリによって決められた領域を修正するように構成された位置修正装置と、を含む位置修正アッセンブリと、
を備える測定装置。
【請求項２】
上記位置修正装置が、上記対象物および上記放射線検出器の少なくとも一方の位置を再調整する位置調整装置を含み、この位置調整装置が、上記実在位置を上記参照位置に等しくして、上記領域確定アッセンブリによってその後に決められる領域を修正することを特徴とする、請求項１に記載の測定装置。
【請求項３】
上記位置修正装置がデータ変換装置を含み、上記実在位置にある対象ベーンリングについて上記領域確定アッセンブリによって確定された領域を対象ベーンリングの参照位置にある場合の校正参照面積に変換して、上記領域確定アッセンブリによって確定された領域を修正することを特徴とする、請求項１に記載の測定装置。
【請求項４】
上記位置センサが、上記第１放射線検出器と第２放射線検出器とを含み、上記第２放射線検出器がスロート領域を示す放射線を感知して、上記第２放射線検出器が上記第１放射線検出器から離れた位置に置かれ、上記比較装置が、その離間距離と上記第１および第２放射線検出器からのデータとを使って上記実在位置と上記参照位置との上記差を確定することを特徴とする、請求項１に記載の測定装置。
【請求項５】
上記位置センサがカメラであり、上記比較装置がコンピュータであることを特徴とする、請求項１に記載の測定装置。
【請求項６】
上記位置修正アッセンブリが、上記差の水平方向成分、垂直方向成分、および角度成分を確定することを特徴とする、請求項１に記載の測定装置。
【請求項７】
上記実在位置および上記参照位置が、上記対象ベーンリングの後縁を基準とすることを特徴とする、請求項１に記載の測定装置。
【請求項８】
ガスタービンエンジンベーンリングのスロート領域を測定する装置であって、上記ベーンリングが、隣り合うベーンの間にある複数の個々のスロートを画定するベーンの環状アレイを有する、ベーンリングのスロート領域を測定する装置において、
対象ベーンリングを照明する位置に置かれて、対象ベーンの選択されたスロートを示す光と影とを投射する少なくとも１つの照明源と、
テレセントリックレンズを有し、上記選択されたスロートの像を上記テレセントリックレンズシステムを通して捕捉する位置に置かれた光検出器と、
上記像の領域を確定するように上記像を解析するプロセッサと、
を含む測定装置。
【請求項９】
上記テレセントリックレンズシステムが、上記選択されたスロートの対角線の長さより大きな直径を有する前方レンズ要素を備えることを特徴とする、請求項８に記載の測定装置。
【請求項１０】
ガスタービンエンジンベーンリングのスロート領域を測定する装置であって、上記ベーンリングが、隣り合うベーンの間にある複数の個々のスロートを画定するベーンの環状アレイを有する、ベーンリングのスロート領域を測定する装置において、
スロートを画定する位置に置かれた主照明源であって、主放射光線が、選択されたスロートの平面に端を発する影の領域をベーンリング上に投射し、上記影の領域が反射率の領域によって囲まれることでスロートを画定する主照明源と、
上記影および上記反射率の領域を少なくとも備える上記スロートの像を捕捉するカメラと、
選択されたスロートのスロート領域の寸法を示す上記像の寸法データの暗い部分から確定する像解析装置と、
上記ベーンリングの実在位置を確定する第２カメラと、
上記実在位置を参照位置と比較する位置比較器と、
上記測定した実在位置と所望の参照位置との差に起因する偏差を修正するために、上記装置の出力測定値を調整する調整手段と、
を備える測定装置。
【請求項１１】
上記調整手段が、上記ベーンリングの位置を上記所望の参照位置に調整することを特徴とする、請求項１０に記載の測定装置。
【請求項１２】
上記調整手段が、上記ベーンリングが上記所望の参照位置に置かれた場合に測定されたであろうスロート領域に上記出力測定値が対応するように上記寸法データを調整することを特徴とする、請求項１０に記載の測定装置。
【請求項１３】
上記第２カメラが上記第１カメラから離れた位置に置かれ、上記位置比較器が、上記離れた位置に関する情報を部分的に基にして、上記実在位置を確定することを特徴とする、請求項１０に記載の測定装置。
【請求項１４】
ガスタービンベーンリングにあるスロート領域を測定する方法であって、上記ベーンリングが、隣り合うベーンの間にある複数の個々のスロートを画定するベーンの環状アレイを有する、ベーンリングのスロート領域を測定する方法において、
ａ）上記ベーンリングに放射線を向けるステップと、
ｂ）上記ベーンリングのスロート領域の像を提供するために上記放射線の一部を捕捉するステップと、
ｃ）上記像の寸法を確定するために上記像を解析するステップと、
ｄ）上記スロートの実在位置と上記スロートの所望の参照位置との差を確定するステップと、
ｅ）上記像の確定された寸法の確度を上げるため、上記実在位置と参照位置との差を使うステップと、
を含む測定方法。
【請求項１５】
上記ステップｅ）が、上記スロートの実在位置と上記スロートの参照位置との差に関連した不正確な測定を減らすために、上記第１放射線検出器の位置と上記所定の寸法データとの少なくとも一方を修正することを含む、請求項１４に記載の測定方法。
【請求項１６】
請求項１４に記載の測定方法が、放射線検出器と対象ベーンリングとの少なくとも一方の位置を調整し、その後、少なくともステップｂ）およびステップｃ）を繰り返すことを含む、請求項１４に記載の測定方法。
【発明の詳細な説明】
【技術分野】
【０００１】
本発明は、ガスタービンエンジンのベーンリングのスロート領域などを測定するシステムに関する。
【背景技術】
【０００２】
ガスタービンベーンリングを通る所望の流路領域を微調整するために、ベーンブレイドの後縁に対して調整が行われる。ごく小さな流路領域が、タービンの圧力比およびエンジンの質量流量を制御し、圧縮機の稼動ラインに影響を与える。この調整法は、ステータベーンの後縁の折り曲げや、後縁を削ることであり、セグメントベーンリングの場合には、ベーンセグメントを交換することである。ガスタービンエンジンに対してステータリングを校正するためには、ステータの流路領域を画定することが必要であり、最適な効率、エネルギー消費、ならびに最適なエンジン性能を実現するために、重要な処置である。よって、ベーンリングを通る流路領域を測定することが必要である。
【０００３】
従来の方法では、ベーンリング全体に渡って測定される圧力降下から流路領域を導くことができるフローリグを使って、ステータリングの流路領域を確定する。流路領域を確定する他の従来の方法は、スロート領域の寸法を機械的に測定することを含んでいる。
【発明の開示】
【発明が解決しようとする課題】
【０００４】
本発明の目的は、ガスタービンエンジンの重要なパラメータを測定する改良した測定を提供することである。
【課題を解決するための手段】
【０００５】
本発明の一態様によれば、ガスタービンベーンリングのスロート領域を測定する装置が提供され、ベーンリングが、隣り合うベーンの間にある複数の個々のスロートを画定するベーンの環状アレイを有する。ベーンリングのスロート領域を測定するこの装置は、対象ベーンリングに放射線を投射する少なくとも１つの主放射線源、この放射線検出器から放射されるスロート領域を示す放射線を感知する少なくとも１つの放射線検出器、感知された放射線からスロート領域を確定するプロセッサ、で構成される領域確定アッセンブリと、対象ベーンリングの実在位置を検出するための位置センサ、実在位置と所望の参照位置との差を確定する比較装置、この比較装置から受ける上記の差に基づいて領域確定アッセンブリによって決められた領域を修正する位置修正装置、を含む位置修正アッセンブリと、を備える。
【０００６】
本発明の他の一態様によれば、ガスタービンベーンリングのスロート領域を測定する方法が提供され、ベーンリングが、隣り合うベーンの間にある複数の個々のスロートを画定するベーンの環状アレイを有する。ベーンリングのスロート領域を測定するこの方法は、放射線をベーンリングの方向に向けるステップと、上記放射線源の一部を捕捉してベーンリングのスロート領域の像を提供するステップと、この像の寸法に関する寸法データを確定するためにこの像を解析するステップと、スロートの実在位置とスロートの所望の参照位置との差を確定するステップと、測定データの確度を上げるために実在位置と参照位置との上記差を使うステップと、を含む。
【０００７】
本発明のさらに他の一態様によれば、ガスタービンエンジンのベーンリングのスロート領域を測定する装置が提供され、ベーンリングが、隣り合う先行ベーンと後続ベーンの間に複数の個々のスロートを画定するベーンの環状アレイを有する。ベーンリングのスロート領域を測定するこの装置は、対象ベーンリングを照明して対象ベーンの選択されたスロート領域を画定する光と影とを投射するために置かれた少なくとも１つの光源と、選択されたスロートの像をテレセントリックレンズシステムを通して捕捉する位置に置かれたテレセントリックレンズを含む光検出器と、像を解析して像の領域を確定するプロセッサと、を備える。
【０００８】
また本発明は、ガスタービンベーンリングのスロート領域を測定する装置であって、ベーンリングが、隣り合うベーンの間にある複数の個々のスロートを画定するベーンの環状アレイを有する装置を提供し、この装置は、スロートを画定する位置に主照明源を備え、この主照明光が選択されたスロートの平面に端を発する影の領域をベーンリング上に投射し、反射率の領域によって囲まれたこの影の領域がスロートを画定する。さらにベーンリングのスロートを測定するこの装置は、少なくとも影および反射率の領域を有するスロートの像を捕捉するカメラと、選択されたスロートのスロート領域に比例する像の寸法データの暗い部分から確定する像解析装置と、ベーンリングの実在位置を確定する第２カメラと、測定された実在位置を所望の参照位置と比較する位置比較装置と、測定された実在位置と所望の参照位置との差を修正するために、装置の出力測定値を調整する調整方法と、を備える。
【０００９】
本発明は、測定される選択されたスロートの位置がベーンリングの製造誤差や別の理由によって変わる場合に、像の寸法データに現れる変化を排除または最小化することにより、ガスタービンエンジンのベーンリングのスロート領域の測定確度を有利に上げる。
【００１０】
本発明の他の特性および他の利点は、下記の最良の形態を参照して理解されたい。
【発明を実施するための最良の形態】
【００１１】
ガスタービンエンジンに用いる測定方法および測定装置は、本願の参考となる本発明の出願人の同時係属中の米国特許出願第１０／２７０５０６号に記載されている。本発明はベーンリングスロート領域（すなわち隣り合うベーンエアロフォイル、インナステータプラットフォーム、およびアウタステータプラットフォームで画定される領域）を測定するような測定システムの使用に関して記述されるが、当業者であれば、本発明は開示例を超える応用が可能であると、理解されるであろう。
【００１２】
図１に、ベーンリング８が、ステータベーン９の環状アレイ（このうち、ベーン９ａとベーン９ｂの２つのみ図示されている）を有することを示す。隣り合うベーンは、各間に複数のスロートつまり空間領域１０を画定する。本出願の目的は、各個別のスロート１０が、インナベーンシュラウド１１（図２を参照）とアウターベーンシュラウド１２とによって（ベーンの環状アレイについて）半径方向に画定され、第１ベーン９ａの後縁１３と、ベーン９ａの後縁に近接した後続ベーンつまり第２ベーン９ｂの凸側面とによって（ベーンの環状アレイについて）周方向に画定される周縁を有する平面領域つまり開口部として個々のスロート１０を画定することである。その位置は、ベーン９ａの後縁から、後続ベーンつまり第２ベーン９ｂの凸面まで伸びている線１４として描かれ説明される。
【００１３】
また図１には、本発明の実施例によるベーンリング８のスロート１０の領域を測定する装置の概略を符号２０で示している。このシステムの詳細は、本願の参考となる同時係属中の米国特許出願第１０／２７０５０６号に記載されているので、ここでは簡単に記述する。固定具２２は、回転インデックステーブル２４と一体にあることが望ましく、光学カメラ、デジタルカメラ、あるいは他の放射線センサなどの光検出器２６が、リング８の隣り合うベーン９の間にある複数のスロート１０の像を、ビューイングかつ捕捉できるように、ベーンリングが漸進的に回転することを支持する。第１プロセッサ４２は、データを解析してベーンリング８の実際のスロート領域の複合要素を確定するために設けられている。
【００１４】
ベーンリング８は、選択された個々のスロート１０の周縁が、検出器２６の視野２８の測定領域に収まるように、像ができる位置にある固定器２２の上に置かれる。視野２８の測定領域は、選択されたスロート１０の平面（図１の紙面に垂直）に重なる矩形平面であることが望ましい。しかし、どんな形の視野領域でも使うことができ、複数の検出器２６を使用できることが理解されよう。複数の検出器２６はスロート領域の決められた部分をそれぞれ測定し、この測定値を足し合わせて合計を得る。あるいは各検出器２６がスロート全体を測定し、確度を上げるためにこれらの結果を平均する。
【００１５】
装置２０はさらに、選択されたスロート１０の平面に起因するベーンリング８の影の領域に投射するためにスロートを画定する位置に置かれた、この実施例では主照明源などの放射線源３０を、少なくとも１つ備えている。影の領域は、反射領域によって囲まれて濃淡をつけられる。この反射領域で、主放射線源３０からの光はベーンリング８により反射されるので、ベーンリング８の選択されたスロート１０のスロート領域を視覚的に画定する。
【００１６】
この実施例の装置２０は、測定される領域をさらに正確に画定するために、先行ベーン９ａの後縁１３を照明する位置に置かれる補助光源などの補助放射線源３２をさらに備えることが望ましい。主および補助照明源３０、３２をともに平行ビームにして、測定される領域の鮮鋭度（すなわち、光と影の間のインタフェイス）を確実に捕らえることが望ましい。
【００１７】
この実施例では、主および補助放射線源として光源３０，３２が使われているが、安全で扱い易い光のスペクトルを使うことが好ましく、同じ効果が得られる可視光、赤外光、または紫外光から選んでもよい。レーザを使用してもよい。いずれの放射線源にせよ、本発明の目的にかなう放射線の類型であればよい。
【００１８】
実施例の図１には、矢印Ｖで示された検出器２６のビューイング方向つまり検出方向が、選択されたスロート１０の平面に対して実質的に垂直に示されている。ビューイング方向は、（線１４に沿う）影の領域の下側境界をさらに厳密に画定するために、垂直よりやや上方であることが好ましい。
【００１９】
検出器２６によって得られたデータは、画素数を数えるなどして解析され、選択されたスロート１０の個々のスロート領域に関する像の暗い部分に対して、寸法データが決められる。像の解析は第１プロセッサ４２によって行われる。画素数を数える代わりに、適切な技法またはアルゴリズムによって、像の領域を決めることもできる。
【００２０】
ベーンリング８の正確な複合的なスロート領域が必要であれば、検出器２６がベーンリングの周りにある個別のスロート１０からデータを漸進的に得るように使われ、第１プロセッサ４２がデータを解析して、ベーンリング８の全体の合計スロート領域を得る。
【００２１】
装置２０は、領域の分かっている基準ベーンを検出器２６に対して参照位置に置いて使うことで初期校正されることが好ましく、設定された校正基準に対して測定値を比較して、実際のベーンスロート領域を決める。
【００２２】
設定された校正は、測定される領域／対象物に対する検出器２６の参照位置を少なくとも部分的に基にしていることが、当業者には理解されよう。センサと対象物との間の実際の距離が異なる場合、センサシステムによって集められたデータに基づいて、対象物の寸法を実際より大きく、あるいは小さく見せてしまうように測定確度が影響を受ける。一例として、本発明者は、（０．０３０インチ［約０．７６ミリメートル］の範囲にありうる）ベーンリングアッセンブリにある固有の製造誤差は、装置２０の測定確度に十分に影響を与え得ることを見出している。そこで本発明では、カメラ２６と選択されたスロート１０の平面との間の距離をさらに厳密に決めるため、装置２０が、もう１台のカメラなどの位置センサを位置検出器３４として備えている。位置検出器があることにより、位置の偏差の原因が、対象物あるいは検出器２６（または両方）の位置のずれによるものか、もしくはプロセッサの計算によるものか、を説明することができる。この実施例では、第２カメラが好ましい位置センサとして使われているが、レーザや機械的装置など適切な位置センサであれば何であれ使用されうることに注意されたい。
【００２３】
カメラ／センサ３４は、検出器２６の視野２８の領域で選択されたスロート１０の平面に実質的に平行に、矢印Ｃで示されるビューイング方向をもつ位置に置かれることが好ましい。こうして、選択されたスロート１０と検出器２６とに対する、実際の平面と所望の参照平面との間にある水平距離および垂直距離、さらに／または角度のずれは、センサ３４によって得られるデータに現れる。一例として、カメラがスロートの現在ある位置のデータを得ることにより、第２プロセッサ３６が所望の参照位置からの偏差を計算する（プロセッサ４２、３６は実際には同じ装置つまり同じソフトウェアでよいが、明確にするためここでは分けている）。偏差情報は、検出器２６の位置／角度の調整、またはベーンリング８の位置／角度の調整などで、水平、垂直、角度位置を調整するために直接使用される。あるいは、正確な（すなわち校正された）最終結果に達することが必要とされるとき、得られた寸法データを「仮想的に調整する」ために（１つあるいは複数の）プロセッサによって偏差情報が使用されることもある。ベーンリングの位置調整は、もっとも分かり易い調整の仕方と考えられているように、簡易になされることが好ましい。目的は、ベーン９ａの後縁１３を測定器に対して所定の参照位置に合わせて、不正確な測定を減らすことである。こうすることで、ベーン９ａの後縁１３およびスロート１０が、測定器の結像面に平行で、かつ結像面から垂直方向に所定の丁度の距離にあるようにし、結像面に現れうる遠近の差による歪みを減らすことができる。固定器２２および回転インデックステーブル２４は、検出器２６とベーンリング８の選択された各スロート１０との相対的位置が、所望の参照距離にできるだけ近いように調整できるように、ベーンリング８の位置を微調整する制御手段を備えていることが望ましい。
【００２４】
微調整は以下に記すように行われることが好ましい。ベーンリング８を回転させて、ベーン９ａの後縁１０を、位置センサ３４の補助を受けながら測定平面に合わせる（すなわち角度合わせを先に行う）。プロセッサ４２が、ベーン９ａあるいはベーンアッセンブリの後縁の、実在位置と所望の参照位置との水平方向および垂直方向の差を、検出器２６で得たデータを使って計算し、（測定器具またはベーンアッセンブリ、もしくは両方の）対応する移動がなされて、水平および垂直方向に調整されて所望の所定の位置に達する。この後、関連する種々の環境因子（光に基づくシステムが使われる場合は、環境中の光線など）が求められ、測定パラメータは必要があれば（光強度、カメラ設定などの）環境因子に従って調節される。その後、画像データが得られて解析される。
【００２５】
上記の代替法では、選択されたスロート１０の平面の位置偏差の寸法データ（すなわち、実際と参照の間）が使われる。倍率を例にすると、検出器２６によって得られるスロート領域の寸法データに基づく領域の計算で、スロート１０の位置偏差を数学的に補正して校正結果を得る。
【００２６】
本発明の他の実施例では、第１検出器から離れた位置に、もう１台のカメラなどの第２放射線検出器が置かれ、選択されたスロート１０のデータを別の角度から得て、立体的データを提供する。この立体的データから、（三角測量などにより）位置の偏差データを引き出すことが可能である。一例として図２に示されているように、第１検出器２６ａ（カメラが好ましい）は、選択されたスロート１０の像を選択されたスロート１０の平面に対して第１の角度（図示せず）で捕捉するために、スロート位置を画定する場所に置かれ、第２検出器２６ｂは、選択されたスロート１０の像を、選択されたスロート１０の平面に対して第２の角度（図示せず）で捕捉するために置かれる。
【００２７】
図２に、本発明のこの実施例に応じて、選択されたスロート１０に実質的に平行な図１の矢印Ｃで示される方向から見た、装置２０の概略図を示す（簡略のため、シュラウド１１および１２の湾曲と、ベーン９ａのアレイの環状性は省略されていることに注意）。従って図２では、スロート１０の平面は、ベーン９ａの後縁１３と重なる直線を示す。２６ａと２６ｂとの間の距離は既知であり、この距離は不変であることが好ましい。検出器２６ａ、２６ｂは、スロート１０の中心点を通ってスロート１０の平面に対して垂直に伸ばした軸３８について対称な位置に置かれることが好ましい。図２に示される距離は、説明のため誇張されているが、所望の距離があれば、さらに短く（あるいは長く）してよい。この実施例は、検出器２６ａ，２６ｂの両方が、選択されたスロート１０に関する寸法データを得るために使われるという点で、本発明の最初の実施例と異なっている。２つの検出器が違う視点から見た偏差を、互いの相対的位置関係の既知情報と併用して利用し、得られたデータをプロセッサ２７で解析して比較することで、像領域の寸法のみならず、対象物までの距離を決めることを可能にする。所定の距離として、スロート１０の平面と参照点との間の距離などが選ばれる。参照点は、線３８と、検出器２６ａ，２６ｂそれぞれのレンズの間に伸びる線（図示せず）と、の交点４０などが選ばれる。プロセッサ２７が、得られた距離のデータを使い、参照データに対する測定データを倍率調整することで、正確な（すなわち校正された）結果を提供する。
【００２８】
図３および図４にも本発明の実施例を示す。ベーンリング８のスロート領域を測定するカメラなどの装置１２０が設けられている。図１の実施例と性質や機能が同様の構成要素が、図３および図４で１００番台の数字を使って示され、説明の必要がないように、下２桁を同じ数字で表している。装置１２０は、カメラなどの放射線検出器１２６と、テレセントリックレンズシステム１２５と、を備える。検出器１２６は、テレセントリックレンズシステム１２５を通してベーンリング８の選択されたスロート１０の寸法データを捕捉する。テレセントリックレンズシステムは、（対象物がレンズの焦点深度の範囲に留まる限り）ビューイング距離の変化に影響を受けないので、対象物を置く位置を間違えたことによる影響を測定データ上で減らすことができる、ということが当業者には理解されるであろう。従って、ベーンリング８の製造誤差に起因するような小さな位置の偏差と、測定されるスロート１０に対する所望の領域および実際の領域の間にある別の小さな偏差と、に起因する不正確な測定を減らすことができる。
【００２９】
テレセントリックレンズシステムは知られているシステムなので、図４を参照して簡潔に記述する。テレセントリックレンズシステム１２５は、レンズ要素の第１および第２グループ１２９，１３３を、光の絞り(aperture)１３１をはさんで両側に配置して備える。光の絞り１３１は、細い光束を除くすべての光線を遮断する。対象物（スロート１０）とその像１０´の両方に対して最適な領域があり、フィルムまたはデジタル光センサが、もっとも鮮明な画像を得るために、この最適な像領域に置かれるとよい。対象物がテレセントリックレンズシステム１２５に近づいたり遠ざかったりしても、センサ上の像１０´の寸法は変わらない。焦点調節の良否に違いはあるが、光の絞り１３１が非常に小さく作られていれば、この違いを最小にすることができる。
【００３０】
テレセントリックレンズは、第１レンズグループのうちの前方レンズ要素１２９の直径と等しい直径を持つ円筒の領域を「観る」。従ってこのシステムは、この前方レンズ要素１２９の直径を超えない側面の寸法をもつスロート１０のような対象物を撮影することに限定されるのが好ましい。スロート１０は像１０´としてセンサ上に、等しい距離は方向にかかわらず像１０´で等しい長さになるように相似形に撮られる。しかも対象物（スロート１０）の平行線は、像１０´でも平行になる。
【００３１】
テレセントリックレンズシステム１２５は、像と対象物との両方の空間で、テレセントリックである。テレセントリックレンズシステム１２５に対して、対象物（スロート１０）または光センサ（像１０´）を動かしても、像の寸法は変わらない。テレセントリックレンズシステムはさらに簡単な構造にすることができ、検出器の１つに大きな直径を持つ凸レンズを取り付けてもよい。この場合には、テレセントリック条件となるまで、凸レンズに対して検出器を前後に動かす。
【００３２】
本発明の上記の実施例の修正および改良は当業者には明らかであろう。例えば、上記の実施例は、ベーンリング８の片側に置かれる複数の放射線源を概ね備え、（１つあるいは複数の）放射線検出器および／または位置検出器が同じ側に置かれて、「前方放射線」システムもしくは「前方光線」システムと呼ばれる。しかし本発明は、（１つあるいは複数の）放射線検出器および／または位置センサが置かれるベーンリングの側とは反対側に置かれる放射線源を備える、（本願の参考となる米国特許出願第５５１７３１０号に記載されている）「後方光線」システムと呼ばれる測定装置にも応用できる。前方照射システムでは、測定されるスロートの像は、明るい領域に囲まれて対比される暗い部分になる。これに対して後方放射線システムでは、（ベーンリング特有の構造が、後方光線システムに適しているとすれば）スロートの像は、暗い領域に囲まれて対比される明るい部分になる。いずれにせよ、本発明に従う方法で、スロート位置の違いによる不正確な測定を排除もしくは最小化する、という効果はどちらの型のシステムに対しても等しく有効である。従って、前述の説明は限定例というより模範例である。本発明の請求範囲は添付された特許請求項のみに限定されることを意図する。
【図面の簡単な説明】
【００３３】
【図１】回転固定器に置かれたステータの部分断面図を示す本発明の一実施例に基づく断面図。
【図２】ステータベーンスロートを画定する平面に平行な方向（図１の矢印Ｃ）から見た本発明の他の実施例による概略図。
【図３】ベーンリングのスロート領域をビューイングする１つのカメラを含む本発明の改良実施例に基づく装置の断面図。
【図４】図３の実施例に使用されるカメラに実装されるテレセントリックレンズシステムを示す概略図。
【図１】
2008517283.tif 000003
【図２】
2008517283.tif 000004
【図３】
2008517283.tif 000005
【図４】
2008517283.tif 000006
【手続補正書】
【提出日】平成18年8月22日(2006.8.22)
【手続補正１】
【補正対象書類名】明細書
【補正対象項目名】００１１
【補正方法】変更
【補正の内容】
【００１１】
ガスタービンエンジンに用いる測定方法および測定装置は、本発明の出願人による同時係属中である２００３年１２月１１日発行の米国特許出願公開第２００３／０２２８０６９Ａ１号に記載されている。本発明はベーンリングスロート領域（すなわち隣り合うベーンエアロフォイル、インナステータプラットフォーム、およびアウタステータプラットフォームで画定される領域）を測定するような測定システムの使用に関して記述されるが、当業者であれば、本発明は開示例を超える応用が可能であると、理解されるであろう。
【手続補正２】
【補正対象書類名】明細書
【補正対象項目名】００１３
【補正方法】変更
【補正の内容】
【００１３】
また図１には、本発明の実施例によるベーンリング８のスロート１０の領域を測定する装置の概略を符号２０で示している。このシステムの詳細は、米国特許出願公開第２００３／０２２８０６９Ａ１号に記載されているので、ここでは簡単に記述する。固定具２２は、回転インデックステーブル２４と一体にあることが望ましく、光学カメラ、デジタルカメラ、あるいは他の放射線センサなどの光検出器２６が、リング８の隣り合うベーン９の間にある複数のスロート１０の像を、ビューイングかつ捕捉できるように、ベーンリングが漸進的に回転することを支持する。第１プロセッサ４２は、データを解析してベーンリング８の実際のスロート領域の複合要素を確定するために設けられている。
【手続補正３】
【補正対象書類名】明細書
【補正対象項目名】００３２
【補正方法】変更
【補正の内容】
【００３２】
本発明の上記の実施例の修正および改良は当業者には明らかであろう。例えば、上記の実施例は、ベーンリング８の片側に置かれる複数の放射線源を概ね備え、（１つあるいは複数の）放射線検出器および／または位置検出器が同じ側に置かれて、「前方放射線」システムもしくは「前方光線」システムと呼ばれる。しかし本発明は、（１つあるいは複数の）放射線検出器および／または位置センサが置かれるベーンリングの側とは反対側に置かれる放射線源を備える、（米国特許出願第５５１７３１０号に記載されている）「後方光線」システムと呼ばれる測定装置にも応用できる。前方照射システムでは、測定されるスロートの像は、明るい領域に囲まれて対比される暗い部分になる。これに対して後方放射線システムでは、（ベーンリング特有の構造が、後方光線システムに適しているとすれば）スロートの像は、暗い領域に囲まれて対比される明るい部分になる。いずれにせよ、本発明に従う方法で、スロート位置の違いによる不正確な測定を排除もしくは最小化する、という効果はどちらの型のシステムに対しても等しく有効である。従って、前述の説明は限定例というより模範例である。本発明の請求範囲は添付された特許請求項のみに限定されることを意図する。
【国際調査報告】
2008517283.tif 000007
2008517283.tif 000008
2008517283.tif 000009
2008517283.tif 000010